(57)【特許請求の範囲】
【請求項１】
電気接続装置であって、
長手方向軸に沿った嵌合方向において互いに嵌合されるオスコネクタとメスコネクタとを備え、
前記オスコネクタは、
前記メスコネクタに向かって第１嵌合方向に突出するピン要素と、
前記ピン要素の少なくとも軸方向の自由端を覆う第１保護カバーと、
前記ピン要素から所定の径方向距離だけ離れて前記ピン要素を少なくとも部分的に取り囲む少なくとも１つの保護要素と、を有し、
前記メスコネクタは、
前記オスコネクタに向かって第２嵌合方向に突出するとともに中央にネジ穴を有するナット要素と、
前記ナット要素の軸方向の自由端を覆う第２保護カバーと、を有し、
前記ピン要素は、
外ネジを有するとともに、前記電気接続装置の嵌合状態において、前記ナット要素の前記ネジ穴にねじ込まれて前記ピン要素と前記ナット要素との電気的接続を確立し、
前記オスコネクタは、前記ピン要素に電気的に接触している第１接触要素を有し、
前記メスコネクタは、前記ナット要素に電気的に接触している第２接触要素を有し、
前記電気接続装置の嵌合状態において、前記第１接触要素と前記第２接触要素とが互いに電気的に接触する、
電気接続装置。
【請求項２】
請求項１に記載の電気接続装置において、
前記ピン要素は、前記少なくとも１つの前記保護要素に対して軸方向において後方にオフセットして配置される、
電気接続装置。
【請求項３】
請求項１又は請求項２に記載の電気接続装置において、
前記オスコネクタは、前記ピン要素及び前記第１接触要素を収容する第１保護ハウジングを有し、
前記第１保護ハウジングは、第１ベース部及び第１カラー部を有し、
前記第１カラー部は、前記第１ベース部から長手方向において前記第１接触要素よりも離れた位置まで突出する、
電気接続装置。
【請求項４】
請求項３に記載の電気接続装置において、
前記第１ベース部は、オスコネクタバスバの接続部を収容し、
前記ピン要素は、前記オスコネクタバスバの前記接続部に対して軸方向に支持される、
電気接続装置。
【請求項５】
請求項３又は請求項４に記載の電気接続装置において、
前記ピン要素は、前記第１保護ハウジングの受け入れチャンバ内に受け入れられるヘッド部を有し、
前記第１保護ハウジングは、工具を挿入して前記ヘッド部に到達させるための工具開口部を有する、
電気接続装置。
【請求項６】
請求項１に記載の電気接続装置において、
前記メスコネクタは、前記ナット要素及び前記第２接触要素を収容する第２保護ハウジングを有し、
前記第２保護ハウジングは、第２ベース部及び第２カラー部を有し、
前記第２カラー部は、周方向において少なくとも部分的に、前記第２ベース部から長手方向にて前記ナット要素よりも離れた位置まで突出し、
前記第２ベース部は、メスコネクタバスバの接続部を収容し、
前記ナット要素は、前記メスコネクタバスバの前記接続部に対して軸方向に支持される、
電気接続装置。
【請求項７】
請求項１〜請求項６のいずれか一項に記載の電気接続装置において、
前記第２保護カバーは、前記ナット要素の外周を部分的に覆うように前記長手方向軸Ｌに平行に延びる複数のリブを有する、
電気接続装置。
【請求項８】
請求項７に記載の電気接続装置において、
前記電気接続装置のプリセット状態において、
前記第２保護カバーの前記リブは、前記保護要素間に形成された第１スロット内に軸方向に係合し、
前記第１接触要素は、前記第２接触要素から離間され、
前記ピン要素上の前記第１保護カバーは、前記ナット要素の前記自由端に絶縁接触する、
電気接続装置。
【請求項９】
請求項８に記載の電気接続装置において、
前記電気接続装置の完全嵌合状態において、
前記第２保護カバーの前記リブは、前記保護要素間に形成された第１スロット内に軸方向に係合し、
前記第１接触要素は、前記第２接触要素に電気的に接触し、
前記ピン要素は、前記ナット要素の前記ネジ穴にねじ込まれる、
電気接続装置。
【発明の詳細な説明】
【技術分野】
【０００１】
本発明は、メスコネクタ及びオスコネクタを含む電気接続装置であって、前記オスコネクタと前記メスコネクタの両方が、長手方向軸に沿った嵌合方向に嵌合される電気接続装置に関する。前記オスコネクタは、前記メスコネクタに向かって前記嵌合方向に突出するピン要素と、当該ピン要素の少なくとも軸方向の自由端を覆う、当該ピン要素上の第１保護カバーと、少なくとも１つの第１の保護要素とを含む。当該第１保護要素は、前記ピン要素を少なくとも部分的に、前記ピン要素から所定の径方向距離を有して取り囲んでいる。
【背景技術】
【０００２】
このような電気接続装置が特許文献１に記載されており、この装置は、例えば、電気車両又はハイブリッド車両の牽引バッテリに用いられて、牽引バッテリに電力供給する。このような場合、電気接続装置を介して高電圧が伝達されなければならない。電気接続装置の導電性要素が高電圧バッテリに接続されているため、人間が導電性要素に意図せずに接触することを回避することが必須である。また、対応する規格にも適合させるために、導電性要素を絶縁体により、人間の指が絶縁体を通過して電流伝達要素に接触することが不可能な程度まで保護することが必要である。
【０００３】
別の電気コネクタが、特許文献２に記載されている。この特許文献は、ケーブルラグをねじ端子に接続するためのねじを有する２極オスコネクタを開示している。オスコネクタは、電圧が印加されたコネクタの要素に人間の指が意図せずに接触することを回避するように保護されている。ヘッダは保護されていない。ねじは先端に保護カバーを有さず、また、保護要素もねじを取り囲んでいない。
【先行技術文献】
【特許文献】
【０００４】
【特許文献１】米国特許出願公開第２０１６／００６４８４９号明細書
【特許文献２】米国特許第９０４８５５１号明細書
【発明の概要】
【発明が解決しようとする課題】
【０００５】
本発明の目的は、指の接触を安全に防止し、且つ簡単で費用効率的な設計を有する電気接続装置を提供することにある。
【課題を解決するための手段】
【０００６】
この目的は、オスコネクタとメスコネクタとを備え長手方向軸に沿った嵌合方向においてその両方が嵌合される電気接続装置により達成される。前記オスコネクタは、前記メスコネクタに向かう第１嵌合方向に突出しているピン要素と、前記ピン要素の少なくとも軸方向の自由端を覆う、前記ピン要素上の第１保護カバーと、前記ピン要素を少なくとも部分的に、前記ピン要素から所定の径方向距離を有して取り囲んでいる少なくとも１つの保護要素と、を含む。前記メスコネクタは、前記オスコネクタに向かう第２嵌合方向に突出している、中央ネジ穴を有するナット要素と、前記ナット要素の軸方向の自由端を覆う、前記ナット要素上の第２保護カバーと、を含む。前記ピン要素は外ネジを有し、前記電気接続装置の嵌合状態において、前記ナット要素の前記ネジ穴にねじ込まれて、前記ピン要素と前記ナット要素との電気的接続を確立する。
【０００７】
前記電気接続装置は、指の接触を防止するメスコネクタ、及び、指の接触を防止するオスコネクタの両方を提供する。また、前記ピン要素は、前記ナット要素の前記ネジ穴にねじ込まれて、前記オスコネクタと前記メスコネクタとの確実接続を確立する。さらなる主要な接続保証要素を設ける必要はない。
【０００８】
本発明の一実施形態において、前記オスコネクタは、前記ピン要素に電気的に接触している第１接触要素を含む。前記メスコネクタは、前記ナット要素に電気的に接触している第２接触要素を含み得る。前記電気接続装置の嵌合状態において、前記第１接触要素と前記第２接触要素とは互いに電気的に接触している。前記第１接触要素と第２接触要素とは、前記ピン要素及び前記ナット要素（それぞれ、前記第１接触要素及び前記第２接触要素に対して軸方向に支持されている）により、互いに接触してクランプされ得る。
【０００９】
前記ピン要素、前記ナット要素、前記第１接触要素、及び／又は前記第２接触要素は、金属材料からつくられ得る。
【００１０】
本発明の一実施形態において、前記第１接触要素は、前記ピン要素と同軸状に配置された環状部を有し得る。好ましくは、前記ピン要素の軸の突出において、すなわち、前記ピン要素の前記軸の方向から見て、前記第１接触要素の前記環状部は、前記ピン要素の外周の半径方向外側に配置され、また、前記少なくとも１つの保護要素の半径方向外側にも配置されている。前記環状部前記第１接触要素は、前記ピン要素に対して、及び／又は、前記少なくとも１つの保護要素に対して、軸方向にずらされて配置され得る。
【００１１】
前記第２接触要素に、前記ナット要素と同軸状に配置された環状部が設けられ得る。前記ナット要素の軸の突出において、すなわち、前記ナット要素の前記軸の方向から見て、第２接触要素の前記環状部は、前記ナット要素の半径方向外側に配置されてもよく、また、前記第２保護カバーの半径方向外側にも配置され得る。前記第２接触要素の前記環状部は、前記ナット要素に対して、及び／又は、前記第２保護カバーに対して、軸方向にずらされて配置され得る。
【００１２】
本発明の一実施形態において、前記オスコネクタは、前記ピン要素及び前記第１接触要素を収容している第１保護ハウジングを含む。
【００１３】
前記メスコネクタは、前記ナット要素及び前記第２接触要素を収容している第２保護ハウジングを含み得る。
【００１４】
前記ナット要素の前記ネジ穴は、前記ナット要素の前記自由端に開口しており、前記第２保護カバーは、前記ネジ穴に位置合わせされた開口部を有する。よって、前記ピン要素を前記第２保護カバーの前記開口部に通すことが可能であり、前記ピン要素を前記ネジ穴内にねじ込むことを可能にする。前記開口部は、人間の指が前記開口部を通過して前記ナット要素に接触することが不可能であるように適合されている。
【００１５】
好ましい実施形態において、前記ピン要素は、前記少なくとも１つの保護要素に対して、軸方向において後方にずらされて配置されている。好ましくは、前記軸方向のずれは、前記ピン要素に人間の指が到達することが不可能であるように適合される。
【００１６】
前記第１保護ハウジングは、第１ベース部及び第１カラー部を有し、前記第１カラー部は、前記ベース部から、長手方向において前記メスコネクタに向かって前記ピン要素よりも遠くに突出している。よって、前記ピン要素及び前記第１接触要素は前記第１カラー部内に包囲され、これにより、指の接触のさらなる防止をもたらす。
【００１７】
前記第１ベース部は、オスコネクタバスバの接続部を収容でき、前記ピン要素は、オスコネクタバスバの前記接続部に対して軸方向に支持されている。前記オスコネクタバスバは、さらに、前記第１接触要素に接触し得る。或いは、前記コネクタバスバは、前記第１接触要素と一体であり得る。
【００１８】
一実施形態において、前記ピン要素は、前記第１保護ハウジングの受け入れチャンバ内に受け入れられたヘッド部を有し、前記第１保護ハウジングは、工具を挿入して前記ヘッド部に到達させるための工具開口部を有する。前記ヘッド部には、工具を前記ヘッド部に接続するための接続手段が設けられており、前記ピン要素を前記ネジ穴に、前記工具を用いてねじ込み得る。
【００１９】
一実施形態において、前記第２保護ハウジングは、第２ベース部及び第２カラー部を有し、前記第２カラー部は、前記第２ベース部から、周方向において少なくとも部分的に、長手方向にて前記ナット要素よりも突出している。よって、前記ナット要素及び前記第２接触要素は、少なくとも部分的に前記第２カラー部内に包囲され、これにより、指の接触のさらなる防止をもたらす。
【００２０】
前記第２ベース部は、メスコネクタバスバの接続部を収容でき、前記ナット要素は、前記メスコネクタバスバの前記接続部に対して軸方向に支持されている。
【００２１】
前記第２接触要素は、前記メスコネクタバスバと電気接触していてよく、或いは、前記メスコネクタバスバの前記接続部と一体であり得る。
【００２２】
前記第２保護カバーは、前記ナット要素の外周を部分的に覆う、前記長手方向軸に平行に延在する複数のリブを有する。前記リブは、前記ナット要素から半径方向に突出して、隣り合うリブ間にスロットを形成している。
【００２３】
一実施形態において、複数の前記保護要素は、前記ピン要素の周囲に分布され、且つ前記ピン要素に平行に配置されて設けられ得る。
【００２４】
少なくとも１つの保護要素が、前記オスコネクタバスバの前記接続部内の穴を通って延在し得る。一実施形態において、前記オスコネクタバスバの前記接続部は、合成樹脂によりオーバーモールドされて、前記第１保護ハウジングを形成している。前記保護要素は、前記第１保護ハウジングの一体部分であってよく、また、前記第１ベース部及び前記第１カラー部の一体部分であってよい。
【００２５】
前記第２保護ハウジングは、前記メスコネクタバスバの前記接続部上及び前記ナット要素上にオーバーモールドされ得る。前記第２保護カバーは、前記ナット要素上にオーバーモールドされ得る。前記第２保護カバーは、前記第２保護ハウジングから分離されていてよい。
【００２６】
前記第２保護カバーの前記リブ及び前記複数の保護要素は、前記オスコネクタを前記メスコネクタに嵌合させたときに、前記リブが、隣り合う保護要素間のスロット内に入って、前記保護要素が、隣り合うリブ間のスロット間に係合するように、適合され得る。
【００２７】
好ましい実施形態において、前記電気接続装置は、プリセット状態にされ得る。この状態において、前記第２保護カバーの前記リブが、前記保護要素間に形成されたスロット内に軸方向に係合し、前記第１接触要素が前記第２接触要素から離間されており、且つ、前記ピン要素上の前記第１保護カバーが、前記ナット要素の前記先端に絶縁接触している。
【００２８】
前記電気接続装置は、さらに、完全嵌合状態において前記第２保護カバーの前記リブが、前記保護要素間に形成されたスロット内に軸方向に係合し、前記第１接触要素が前記第２接触要素に電気接触し、且つ、前記ピン要素が前記ナット要素の前記中央ネジ穴にねじ込まれるように、適合され得る。
【００２９】
好ましくは、前記第１保護カバー、前記少なくとも第１保護要素、前記第１保護ハウジング、前記第２保護カバー、及び／又は前記第２保護ハウジングは、電気絶縁材料、例えば、合成樹脂からつくられる。
【００３０】
ここで、本発明を、添付図面を参照しつつ、例として説明する。
【図面の簡単な説明】
【００３１】
【図１】オスコネクタの第１の斜視図である。
【図２】図１に示したオスコネクタの第２の斜視図である。
【図３】メスコネクタの斜視図である。
【図４】図１及び図２に示したオスコネクタと図３に示したメスコネクタとの、プリセット位置における電気接続装置の断面図である。
【図５】図４に示した電気接続装置のセット位置における断面図である。
【発明を実施するための形態】
【００３２】
図１及び図２は、図４及び図５に示されている電気接続装置のオスコネクタ１を示し、以下に、オスコネクタ１に関して、図１、図２、図４及び図５を参照しつつ説明する。
【００３３】
オスコネクタ１は、オスコネクタ１の長手方向軸Ｌと同軸状に配置されたピン要素２を有し、ピン要素２は、メスコネクタ２０に向う第１嵌合方向Ｍ１に突出している。オスコネクタ１は、ピン要素２上に配置された第１保護カバー３を備え、第１保護カバー３は、少なくとも、ピン要素の軸方向の自由端４を覆っている。開示されている実施形態において、第１保護カバー３は、ピン要素２の軸方向の自由端４を覆い、これにより、先端４は、長手方向軸Ｌに沿った方向における接触から保護されている。ピン要素２は、ピン要素と相手方要素との電気接続を確立するために、導電性材料からつくられている。相手方要素は、メスコネクタ２０のメスコネクタである（これに関しては後述する）。第１保護カバー３は、電気絶縁性材料、例えば合成樹脂からつくられて、先端４上に嵌め付けられ得る。或いは、第１保護カバー３は、先端４に、その他の任意の公知の方法、例えば、接着剤接合、ねじ止めなどにより連結され得る。
【００３４】
オスコネクタ１は、さらに、４つの細長い保護要素５，５’，５”，５’’’を備えている。これらの保護要素は、長手方向軸Ｌに平行に配置され、且つ、ピン要素２を、ピン要素から所定の径方向距離を有して取り囲んでいる。オスコネクタ１には、任意の所望の個数の保護要素を設けることができ、好ましくは、少なくとも２つの保護要素が設けられる。保護要素５，５’，５”，５’’’は、ピン要素２の周囲に周方向に均一に分布され、保護要素５，５’，５”，５’’’は、ピン要素２を部分的に覆い又は取り囲み、これにより、第１スロット１８，１８’，１８”，１８’’’が、開放状態に維持される。第１スロット１８，１８’，１８”，１８’’’は、各々、隣り合う２つの保護要素５，５’，５”，５’’’の間に配置されて、長手方向軸Ｌに平行に延在している。
【００３５】
ピン要素２は、メスコネクタ２０の要素にねじ込まれ得るように、外ネジ（ｏｕｔｅｒ  ｔｈｒｅａｄ）６を有する。これに関しては、後述する。
【００３６】
図示されている例示的な実施形態において、オスコネクタ１は、さらに、第１接触要素７を備え、第１接触要素７は、導電性材料、例えば金属材料からつくられている。第１接触要素７は、ピン要素２と電気的に接触して、ピン要素２と第１接触要素７との電気的接続を確立している。第１接触要素７は第１スリーブ部９を有し、第１スリーブ部９は、長手方向軸Ｌと同軸状に円筒状に形成されている。第１スリーブ部９は、ピン要素２の周囲に、ピン要素２から所定の径方向距離を有して配置されている。保護要素５，５’，５”，５’’’は、第１スリーブ部９とピン要素２との間に配置されている。
【００３７】
或いは、オスコネクタ１を、第１接触要素７を有さずに設けることも可能であり、この場合、オスコネクタ１とメスコネクタ２０との電気的接続は、ピン要素２を介してのみ確立される。
【００３８】
オスコネクタ１は、さらに、ピン要素２及び第１接触要素７を覆っている第１保護ハウジング８を備えている。保護要素５，５’，５”，５’’’は、第１保護ハウジング８の一部である。
【００３９】
第１保護ハウジング８は、第１ベース部１２と、第１ベース部１２から長手方向軸Ｌに平行に延在する第１のカラー（襟状）部１０とを有する。第１カラー部１０は、ほぼ円筒状に形成され、長手方向軸Ｌ及びピン要素２と同軸状に配置されて、第１接触要素７の第１スリーブ部９、保護要素５，５’，５”，５’’’、及び、ピン要素２を取り囲んでいる。
【００４０】
第１カラー部１０は、メスコネクタ２０に向かって開放されている第１開放部１１を形成している。第１接触要素７の第１スリーブ部９は、第１接触要素７が第１保護ハウジング８内に完全に収容されるように、軸方向において第１開放部１１よりも後退位置にある。これとは対照的に、ピン要素２及び保護要素５，５’，５”，５’’’は、第１カラー部１０の開放部１１から突出している。或いは、ピン要素２及び保護要素５，５’，５”，５’’は、第１カラー部１０内に、軸方向において完全に収容されてもよい。
【００４１】
第１保護ハウジング８は、電気絶縁性材料、例えば、合成樹脂からつくられる。
【００４２】
ピン要素２は、第１保護ハウジング８の受け入れチャンバ１４内に収容されたヘッド部１３を有してねじ状に形成されている。第１保護ハウジング８の受け入れチャンバ１４は、工具開口部１５を有するキャップ３６により閉鎖されている。工具開口部１５は、工具（例えばアレンキー）を、工具開口部１５を通してピン要素２のヘッド部１３内の六角ソケット１６に差し込むことができるように、受け入れチャンバ１４内に到達している。ピン要素２は、第１接触要素７の中央穴１９を通過しており、ピン要素２の外ネジ６とヘッド部１３とは、第１接触要素７の対向する側に配置されている。工具を用いて、ピン要素２を、長手方向軸Ｌを中心とした方向に、第１接触要素７に対して、及び、第１保護ハウジング８に対してねじ込むことができる。
【００４３】
図示されている実施形態において、第１接触要素７は、オスコネクタバスバ１７の接続部３７と一体である。或いは、第１接触要素７は、オスコネクタバスバ１７とは別個の要素であって、オスコネクタバスバ１７に電気接触雄されてもよい。
【００４４】
図３，図４及び図５は、図１及び図２に示したオスコネクタ１に接続されるべきメスコネクタ２０を示す。メスコネクタ２０に関し、図３、図４及び図５を参照して説明する。
【００４５】
メスコネクタ２０は、中央ネジ穴２２を有するナット要素２１を有する。ナット要素２１は、長手方向軸Ｌに沿って、第２嵌合方向（メスコネクタ２０の、オスコネクタ１に向う方向）Ｍ２に延在している。オスコネクタ１の第１嵌合方向Ｍ１と、メスコネクタ２０の第２嵌合方向Ｍ２とは、互いに反対の方向である。
【００４６】
ナット要素は、ピン要素２とナット要素２１との電気的接続を確立するためにピン要素２に接続される。ナット要素２１は、導電性材料、例えば金属材料からつくられる。
【００４７】
メスコネクタ２０は、さらに、ナット要素２１の軸方向の自由端２６を覆う、第２保護カバー２３を備えている。第２保護カバー２３は、電気絶縁材料、例えば合成樹脂からつくられて、ナット要素２１上に嵌め付けられ得る。第２保護カバー２３は、中央ネジ穴２２と位置合わせされている開口部２７を有しているため、ピン要素２は、中央ネジ穴２２にねじ込まれることができる。第２保護カバー２３の開口部２７の寸法は、人間が指を、開口部２７を通してナット要素２１に届かせることができない寸法である。
【００４８】
メスコネクタ２０は、さらに、ナット要素２１との電気的接触を維持されている第２接触要素２４を備えている。第２接触要素２４も、導電性材料、例えば金属材料からつくられる。また、第２接触要素２４及び／又はナット要素２１が、メスコネクタバスバ（図示せず）と電気的に接触していてもよい。或いは、第２接触要素２４及び／又はナット要素２１は、メスコネクタバスバと一体であってもよい。
【００４９】
メスコネクタ２０は、第２保護ハウジング２５を有する。第２保護ハウジング２５は、第２ベース部２８及び第２カラー部２９を有し、第２カラー部２９は、第２ベース部２８からオスコネクタ１に向かって、長手方向軸Ｌに沿って長手方向に突出している。第２カラー部２９は、ナット要素２１及び第２保護カバー２３、並びに第２接触要素２４を収容している。第２カラー部２９の外周の少なくとも一部が、オスコネクタ１に向う方向において、ナット要素２１、第２保護カバー２３及び第２接触要素２４よりも突出している。
【００５０】
第２接触要素２４は第２スリーブ部３１を有し、第２スリーブ部３１は、長手方向軸Ｌと同軸状に配置されて、ナット要素２１及び第２保護カバー２３を取り囲んでいる。第２接触要素２４は、さらにフランジ部３２を有し、フランジ部３２は、ナット要素２１のフランジ部３３に接触している。ナット要素２１のフランジ部３３は、第２接触要素２４のフランジ部３２及びオスコネクタ１に対して反対の側に配置されている。
【００５１】
第２保護カバー２３は、長手方向軸Ｌに平行に延在する４つのリブ３０，３０’，３０”，３０’’’を含み、これらの４つのリブは、長手方向軸Ｌを中心としてナット要素２１の周囲に均等に分布されており、また、開口部２７を形成している第２保護カバー２３の一部と一体である。第２保護カバー２３に、任意の個数のリブを設けることができ、リブ３０，３０’，３０”，３０’’’の個数は、保護要素５，５’，５”，５’’’の個数に対応しているべきである。
【００５２】
リブ３０，３０’，３０”，３０’’’の隣り合う各対の間に、第２スロット３４，３４’，３４”，  ３４’’’が形成されている。
【００５３】
ここで、オスコネクタ１とメスコネクタ２０との嵌合について、図４及び図５を参照しつつ説明する。第１のステップにおいて、オスコネクタ１とメスコネクタ２０とを互いにプリセット位置に配置して、オスコネクタ１及びメスコネクタ２０を備えた電気接続装置のプリセット状態を確立する。このプリセット位置において、第１保護カバー３は、ナット要素２１に対して軸方向に支持され、第１保護カバー３の外径は、ナット要素２１の中央ネジ穴２２の最小内径よりも大きい。第２保護カバー２３のリブ３０，３０’，３０”，３０’’’は、保護要素５，５’，５”，５’’’間の第１スロット１８，１８’，１８”，１８’’’内に、軸方向において部分的に係合されている。周方向において、第１スロット１８，１８’，１８”，１８’’’のリブが、リブ３０，３０’，３０”，３０’’’の幅に適合されている。さらに、保護要素５，５’，５”，５’’’は、第２スロット３４，３４’，３４”，３４’’’内に部分的に係合されている。また、保護要素５，５’，５”，５’’’の周方向における幅は、第２スロット３４，３４’，３４”，３４’’’の周方向における幅に適合されている。
【００５４】
ピン要素２はナット要素２１に接触していない。さらに、第１接触要素７は第２接触要素２４から離れており、オスコネクタ１とメスコネクタ２０との間には電気接続が確立されていない。
【００５５】
オスコネクタ１とメスコネクタ２０とをさらに嵌合させるために、ピン要素２をナット要素２１の中央ネジ穴２２にねじ込む。ピン要素２を中央ネジ穴２２にねじ込むとき、中央ネジ穴２２の内ネジ３５が、第１保護カバー３の材料に切り込まれる。
【００５６】
コネクタが完全に嵌合されたならば、リブ３０，３０’，３０”，３０’’’が第１スロット１８，１８’，１８”，１８’’’内に、可能な限り係合し、また、保護要素５，５’，５”，５’’’が第２スロット３４，３４’，３４”内に係合する。ピン要素２のヘッド部１３が、第１接触要素７を押して第２接触要素２４に接触させて、第１接触要素７と第２接触要素２４との電気接続を確立する。第２接触要素２４は、ナット要素２１のフランジ部３３に対して支持される。こうして、第１接触要素７と第２接触要素２４とが、ピン要素２のヘッド部１３とナット要素２１のフランジ部３３との間にクランプされる。
【００５７】
さらに、ピン要素２とナット要素２１との間で電気的接続が確立される。
【００５８】
第１保護ハウジング８の第１カラー部１０は、第２保護ハウジング２５の第２カラー部２９内に挿入され、これにより、第１，第２接触要素７，２４が第１保護ハウジング８及び第２保護ハウジング２５により完全に覆われるため、人間が導電性要素の１つに触れるような事態が回避される。
【００５９】
オスコネクタ１とメスコネクタ２０の嵌合を解除しているときに、ピン要素２が、ナット要素２１の中央ネジ穴２２からねじ留め解除される。ピン要素２のヘッド部１３は、受け入れチャンバ１４のキャップ３６に対して軸方向に支持され、これにより、ナット要素２１が第１保護ハウジング８を第２保護ハウジング２５から押し出し、キャップ３６は第１保護ハウジング８に、クリックオン連結により固定される。
【符号の説明】
【００６０】
１  オスコネクタ
２  ピン要素
３  第１保護カバー
４  ピン要素の先端
５，５’，５”，５’’’  保護要素
６  外ネジ
７  第１接触要素
８  第１保護ハウジング
９  第１スリーブ部
１０  第１カラー部
１１  第１開放部
１２  第１ベース部
１３  ヘッド部
１４  受け入れチャンバ
１５  工具開口部
１６  六角ソケット
１７  オスコネクタバスバ
１８，１８’，１８”，１８’’’  第１スロット
１９  中央穴
２０  メスコネクタ
２１  ナット要素
２２  中央ネジ穴
２３  第２保護カバー
２４  第２接触要素
２５  第２保護ハウジング
２６  ナット要素の先端
２７  第２保護カバーの開口部
２８  第２ベース部
２９  第２カラー部
３０，３０’，３０”，３０’’’  リブ
３１  第２スリーブ部
３２  第２接触要素のフランジ部
３３  ナット要素のフランジ部
３４，３４’，３４”，３４’’’  第２スロット
３５  内ネジ
３６  キャップ
３７  オスコネクタバスバの接続部
Ｌ  縦軸
Ｍ１  第１嵌合方向
Ｍ２  第２嵌合方向
【図１】
0006638014.tif 000002
【図２】
0006638014.tif 000003
【図３】
0006638014.tif 000004
【図４】
0006638014.tif 000005
【図５】
0006638014.tif 000006